(57)【要約】【課題】操作性がよく且つ占有スペースが小さいファクシミリ装置を提供する。【解決手段】ファクシミリ装置１０は、装置本体２０、外装部材６１、蓋部材３０、排出口原稿検出センサ７３、排出口用紙検出センサ７５、及び、第１駆動部７８等を備える。装置本体２０は、画像読取部４０、原稿搬送路４１、画像形成部５０及び用紙搬送路５１を有する。外装部材６１は装置本体２０を外装する。蓋部材３０は、原稿挿入口４２及び用紙挿入口５２を開放する開放位置と、原稿挿入口４２及び用紙挿入口５２を覆うとともに外装部材６１の一部を構成する閉鎖位置と、の間で変位自在にされる。排出口原稿検出センサ７３は送信動作が終了したことを検出し、排出口用紙検出センサ７５は受信動作が終了したことを検出する。第１駆動部７８は、送信動作及び受信動作の終了後に蓋部材３０を開放位置から閉鎖位置へ変位させる。【選択図】図３
2007282034.tif 000002
【特許請求の範囲】
【請求項１】
原稿の画像を読み取る画像読取部、原稿挿入口から前記画像読取部を経由して原稿排出口へ原稿を搬送する原稿搬送路、シート体に画像を形成する画像形成部、及び、シート体挿入口から前記画像形成部を経由してシート体排出口へシート体を搬送するシート体搬送路を有する装置本体と、
前記装置本体を外装する外装部材と、
前記原稿挿入口及び前記シート体挿入口を開放する開放位置と前記原稿挿入口及び前記シート体挿入口を覆うとともに前記外装部材の一部を構成する閉鎖位置との間で変位自在な蓋部材と、
原稿の画像情報を通信回線を介して送信する送信動作、又は、通信回線を介して送信されてきた画像情報を受信してシート体に印刷する受信動作が終了したことを検出する送受信終了検出部と、
前記送受信終了検出部の検出結果に基づいて前記送信動作及び前記受信動作の終了後に前記蓋部材を前記開放位置から前記閉鎖位置へ変位させる第１駆動部と、を備えることを特徴とするファクシミリ装置。
【請求項２】
前記蓋部材は、前記開放位置において、前記原稿挿入口、前記シート体挿入口及び前記シート体排出口を開放するとともに、前記シート体挿入口から前記シート体搬送路へ挿入されるべきシート体及び前記シート体排出口から排出されたシート体を支持し、前記閉鎖位置において、前記原稿挿入口、前記シート体挿入口及び前記シート体排出口を覆うことを特徴とする請求項１に記載のファクシミリ装置。
【請求項３】
前記原稿挿入口に原稿が挿入されているか否かを検出する原稿検出部をさらに備え、
前記第１駆動部は、前記原稿検出部によって前記原稿挿入口に原稿が挿入されていると検出されたときは、前記送信動作又は前記受信動作の終了後であっても、前記蓋部材を前記開放位置から前記閉鎖位置へ変位させないことを特徴とする請求項１または２に記載のファクシミリ装置。
【請求項４】
前記シート体挿入口にシート体が挿入されているか否かを検出するシート体検出部をさらに備え、
前記第１駆動部は、前記シート体挿入口にシート体が挿入されていると前記シート体検出部によって検出されたときは、前記送信動作又は前記受信動作の終了後であっても、前記蓋部材を前記開放位置から前記閉鎖位置へ変位させないことを特徴とする請求項１から３のいずれかに記載のファクシミリ装置。
【請求項５】
原稿の画像を読み取る画像読取部、原稿挿入口から前記画像読取部を経由して原稿排出口へ原稿を搬送する原稿搬送路、シート体に画像を形成する画像形成部、及び、シート体挿入口から前記画像形成部を経由してシート体排出口へシート体を搬送するシート体搬送路を有する装置本体と、
前記装置本体を外装する外装部材と、
前記原稿挿入口及び前記シート体挿入口を開放する開放位置と前記原稿挿入口及び前記シート体挿入口を覆うとともに前記外装部材の一部を構成する閉鎖位置との間で変位自在な蓋部材と、
原稿の画像を送信するための送信操作が行われたときに、前記蓋部材を前記閉鎖位置から前記開放位置へ変位させる第１駆動部と、を備えることを特徴とするファクシミリ装置。
【請求項６】
前記蓋部材は、前記開放位置において前記シート体挿入口に挿入されるべきシート体の搬送方向の上流側に伸縮する伸縮部材を有し、
前記蓋部材が前記開放位置から前記閉鎖位置へ変位するとき前記伸縮部材を短縮させ、前記蓋部材が前記閉鎖位置から前記開放位置へ変位するとき前記伸縮部材を伸長させる第２駆動部をさらに備えることを特徴とする請求項１から５のいずれかに記載のファクシミリ装置。
【請求項７】
前記第１駆動部による前記蓋部材の変位を禁止する設定の入力を受け付ける禁止設定入力部をさらに備えることを特徴とする請求項１から６のいずれかに記載のファクシミリ装置。
【発明の詳細な説明】
【技術分野】
【０００１】
この発明は、原稿挿入口を開閉する蓋部材を備えたファクシミリ装置に関する。
【背景技術】
【０００２】
ファクシミリ装置の中には、原稿挿入口を開閉する蓋部材を備えたものがある（例えば、特許文献１参照。）。ファクシミリ装置の不使用時には、原稿挿入口を蓋部材で閉鎖することで、原稿挿入口への埃の侵入が防がれる。一方、ファクシミリ装置で原稿の画像を送信する時は、蓋部材を開放する必要がある。
【０００３】
特許文献１のファクシミリ装置は、装置本体、及び、装置本体に回動自在に取り付けられたカバーを備える。装置本体の上面には、原稿挿入口、及び、原稿挿入口を開閉自在な原稿ガイド（蓋部材に相当する。）が設けられる。原稿ガイドは、カバーの開閉動作にともなって開閉するように形成され、これによって、原稿ガイドを開閉する手間が省け、操作性がよいとされている。
【特許文献１】特開平５−３０２４１号公報
【発明の開示】
【発明が解決しようとする課題】
【０００４】
しかし、特許文献１のファクシミリ装置では、原稿ガイドを直接開閉する操作は必要なくなるとしても、原稿ガイドより大きいカバーを開閉する操作が必要であり、必ずしも操作性がよいとは言えない。
【０００５】
また、特許文献１のファクシミリ装置では、ファクシミリ装置の不使用時に原稿ガイド及びカバーが装置本体に装着されたままになるので、ファクシミリ装置の占有スペースが大きくなる。一方、不使用時に、装置本体から原稿ガイド及びカバーを取り外した場合、取り外された原稿ガイド及びカバーの置き場所が別に必要となる上に、原稿ガイド及びカバーに埃が付着するという問題がある。さらに、ファクシミリ装置の使用時には、原稿ガイド及びカバーを取り付ける手間が必要となるので、操作性が低下する。
【０００６】
この発明の目的は、操作性がよく且つ占有スペースが小さいファクシミリ装置を提供することにある。
【課題を解決するための手段】
【０００７】
この発明のファクシミリ装置は、上述の課題を解決するために以下のように構成される。
【０００８】
（１）この発明のファクシミリ装置は、装置本体、外装部材、蓋部材、送受信終了検出部、及び、第１駆動部を備える。
【０００９】
装置本体は、原稿の画像を読み取る画像読取部、原稿挿入口から画像読取部を経由して原稿排出口へ原稿を搬送する原稿搬送路、シート体に画像を形成する画像形成部、及び、シート体挿入口から画像形成部を経由してシート体排出口へシート体を搬送するシート体搬送路を有する。外装部材は、装置本体を外装する。蓋部材は、原稿挿入口及びシート体挿入口を開放する開放位置と、原稿挿入口及びシート体挿入口を覆うとともに外装部材の一部を構成する閉鎖位置と、の間で変位自在にされる。
【００１０】
送受信終了検出部は、原稿の画像情報を通信回線を介して送信する送信動作、又は、通信回線を介して送られてきた画像情報を受信してシート体に印刷する受信動作が終了したことを検出する。第１駆動部は、送受信終了検出部の検出結果に基づいて送信動作及び受信動作の終了後に蓋部材を開放位置から閉鎖位置へ変位させる。
【００１１】
この構成においては、蓋部材は、原稿挿入口及びシート体挿入口を開閉するように変位自在にされる。蓋部材は、送信動作及び受信動作の終了後に、閉鎖位置へ自動的に変位する。蓋部材は、閉鎖位置に配置されたとき、外装部材の一部を構成するので、ファクシミリ装置の占有スペースが小さくなる。
【００１２】
（２）この発明のファクシミリ装置では、蓋部材は、開放位置において、原稿挿入口、シート体挿入口及びシート体排出口を開放するとともに、シート体挿入口からシート体搬送路へ挿入されるべきシート体及びシート体排出口から排出されたシート体を支持し、閉鎖位置において、原稿挿入口、シート体挿入口及びシート体排出口を覆うように構成されてもよい。
【００１３】
この構成においては、蓋部材は、原稿挿入口、シート体挿入口及びシート体排出口を開閉するように変位自在にされる。蓋部材は、送信動作及び受信動作の終了後に、閉鎖位置へ自動的に変位し、原稿挿入口、シート体挿入口及びシート体排出口への埃の侵入を防ぐ。
【００１４】
（３）この発明のファクシミリ装置は、原稿検出部をさらに備えてもよい。原稿検出部は、原稿挿入口に原稿が挿入されているか否かを検出する。第１駆動部は、原稿検出部によって原稿挿入口に原稿が挿入されていると検出されたときは、送信動作又は受信動作の終了後であっても、蓋部材を開放位置から閉鎖位置へ変位させない。
【００１５】
この構成においては、原稿挿入口に原稿が挿入されている場合は、そのことが原稿検出部によって検出され、蓋部材が閉鎖位置に変位しない。
【００１６】
（４）この発明のファクシミリ装置は、シート体検出部をさらに備えてもよい。シート体検出部は、シート体挿入口にシート体が挿入されているか否かを検出する。第１駆動部は、シート体挿入口にシート体が挿入されているとシート体検出部によって検出されたときは、送信動作又は受信動作の終了後であっても、蓋部材を開放位置から閉鎖位置へ変位させない。
【００１７】
この構成においては、シート体挿入口にシート体が挿入されている場合は、そのことがシート体検出部によって検出され、蓋部材が閉鎖位置に変位しない。
【００１８】
（５）この発明のファクシミリ装置は、装置本体、外装部材、蓋部材、及び、第１駆動部を備える。装置本体は、原稿の画像を読み取る画像読取部、原稿挿入口から前記画像読取部を経由して原稿排出口へ原稿を搬送する原稿搬送路、シート体に画像を形成する画像形成部、及び、シート体挿入口から前記画像形成部を経由してシート体排出口へシート体を搬送するシート体搬送路を有する。外装部材は、装置本体を外装する。蓋部材は、原稿挿入口及びシート体挿入口を開放する開放位置と、原稿挿入口及びシート体挿入口を覆うとともに外装部材の一部を構成する閉鎖位置と、の間で変位自在にされる。第１駆動部は、原稿の画像を送信するための送信操作が行われたときに、蓋部材を閉鎖位置から開放位置へ変位させる。
【００１９】
この構成においては、蓋部材は、原稿挿入口及びシート体挿入口を開閉するように変位自在にされる。蓋部材は、原稿の画像を送信するための送信操作が行われたとき、閉鎖位置へ自動的に変位する。蓋部材は、閉鎖位置に配置されたとき、外装部材の一部を構成するので、ファクシミリ装置の占有スペースが小さくなる。
【００２０】
（６）この発明のファクシミリ装置では、蓋部材は、伸縮部材を有してもよい。伸縮部材は、開放位置においてシート体挿入口に挿入されるべきシート体の搬送方向の上流側に伸縮する。また、この発明のファクシミリ装置は、第２駆動部をさらに備えてもよい。第２駆動部は、蓋部材が開放位置から閉鎖位置へ変位するとき伸縮部材を短縮させ、蓋部材が閉鎖位置から開放位置へ変位するとき伸縮部材を伸長させる。
【００２１】
この構成においては、伸縮部材が伸長されたとき、シート体挿入口に挿入されるべきシート体が、伸縮部材によってより大きい面積で支持されるので、より倒れにくくなる。また、伸長部材は、短縮されることで、蓋部材が閉鎖位置へ変位する妨げとならなくなる。
【００２２】
（７）この発明のファクシミリ装置は、禁止設定入力部をさらに備えてもよい。禁止設定入力部は、第１駆動部による蓋部材の変位を禁止する設定の入力を受け付ける。
【００２３】
この構成においては、蓋部材の開閉を予め禁止しておくことで、送信動作又は受信動作の終了後であっても蓋部材は開放位置から閉鎖位置へ変位せず、原稿の画像を送信するための送信操作が行われたときであっても蓋部材は閉鎖位置から開放位置へ変位しない。
【発明の効果】
【００２４】
この発明によれば、以下の効果を奏することができる。
【００２５】
（１）送信動作及び受信動作の終了後に、蓋部材が閉鎖位置へ自動的に変位するので、操作性よく、原稿挿入口及びシート体挿入口への埃の侵入を防ぐことができる。
【００２６】
また、蓋部材は、閉鎖位置に配置されたとき外装部材の一部を構成するので、ファクシミリ装置の占有スペースが小さくなる。
【００２７】
（２）送信動作及び受信動作の終了後に、蓋部材が閉鎖位置へ自動的に変位するので、操作性よく原稿挿入口、シート体挿入口及びシート体排出口への埃の侵入を防ぐことができる。
【００２８】
（３）原稿挿入口に原稿が挿入されている場合は、蓋部材を閉鎖位置に変位させないことで、原稿が損傷することを防止することができる。
【００２９】
（４）シート体挿入口にシート体が挿入されている場合は、蓋部材を閉鎖位置に変位させないことで、シート体が損傷することを防止することができる。
【００３０】
（５）原稿の画像を送信するための送信操作が行われたとき、蓋部材が閉鎖位置から開放位置へ自動的に変位するので、蓋部材を開放させるためだけの操作を必要とせず、操作性よく、原稿挿入口に原稿を挿入して、原稿の画像を送信することができる。
【００３１】
また、蓋部材は、閉鎖位置に配置されたとき外装部材の一部を構成するので、ファクシミリ装置の占有スペースが小さくなる。
【００３２】
（６）伸縮部材を伸長させることで、シート体挿入口に挿入されるべきシート体を、伸縮部材によってより大きい面積で支持できるので、シート体をより倒れにくくすることができる。また、伸長部材を短縮させることで、蓋部材が閉鎖位置へ変位する妨げとならないようにすることができる。
【００３３】
伸縮部材を蓋部材の開閉動作とともに自動的に伸縮させることで、より操作性がよくなる。
【００３４】
（７）蓋部材の開閉を予め禁止しておくことで、誤操作による蓋部材の開閉を防ぐことができる。
【発明を実施するための最良の形態】
【００３５】
以下に、この発明を実施するための最良の形態について、図面に基づいて説明する。図１は、この発明の実施形態に係るファクシミリ装置１０の外観構成を示す斜視図である。図２は、蓋部材３０が閉鎖位置にある状態のファクシミリ装置１０の構成を示す側面視の断面図である。図３は、蓋部材３０が開放位置にある状態のファクシミリ装置１０の構成を示す側面視の断面図である。図２において、ファクシミリ装置１０の左側が前部Ｆであり、ファクシミリ装置１０の右側が背部Ｂである。
【００３６】
ファクシミリ装置１０は、装置本体２０、蓋部材３０、外装部材６１などを備えている。装置本体２０は、原稿の画像を読み取る画像読取部４０、画像読取部４０に原稿を搬送する原稿搬送路４１、用紙に画像を形成する画像形成部５０、及び、画像形成部５０を経由して用紙を搬送する用紙搬送路５１を内蔵している。外装部材６１は、装置本体２０を外装している。ここで、用紙搬送路５１は、この発明のシート体搬送路に相当する。
【００３７】
外装部材６１は、上部に開口部６２を有し、開口部６２を塞ぐように蓋部材３０が取り付けられている。蓋部材３０は、開口部６２を塞ぐ閉鎖位置（図２参照）と、開口部６２を開放する開放位置（図３参照）との間で、揺動軸３１を中心に揺動自在にされている。揺動軸３１は、開口部６２の背部Ｂ側に配置されている。蓋部材３０の詳細については後述する。
【００３８】
原稿搬送路４１は、開口部６２のうちの前部Ｆ側に開口する原稿挿入口４２と、装置本体２０の前部Ｆに開口する原稿排出口４３とを有する。原稿搬送路４１の中途には、原稿搬送ローラ４４及び分離ゴム板４５が配置されている。原稿搬送ローラ４４と分離ゴム板４５とは、互いに対向するように配置されている。原稿挿入口４２から挿入された原稿は、原稿搬送ローラ４４と分離ゴム板４５との間で１枚ずつに分離されるとともに、最も下側の１枚の原稿のみが原稿排出口４３へ向けて搬送される。
【００３９】
原稿の搬送方向において原稿搬送ローラ４４の下流側には、イメージセンサ４６及び背面ローラ４７が配置されている。イメージセンサ４６と背面ローラ４７とは互いに対向するように配置されている。
【００４０】
原稿は、原稿搬送ローラ４４によってイメージセンサ４６と背面ローラ４７との間に送り込まれる。原稿は、背面ローラ４７によって背面からイメージセンサ４６に押え付けられながら、イメージセンサ４６によって画像を読み取られる。画像を読み取られた原稿は、背面ローラ４７によって原稿排出口４３から装置本体２０の外部に排出される。イメージセンサ４６及び背面ローラ４７は、画像読取部４０に含まれる。
【００４１】
用紙搬送路５１は、略Ｕ字形に形成されており、一端に用紙挿入口５２を有し、他端に用紙排出口５３を有している。用紙挿入口５２は、この発明のシート体挿入口に相当し、用紙排出口５３は、この発明のシート体排出口に相当する。用紙挿入口５２は、開口部６２のうちの背部Ｂ側に開口している。用紙排出口５３は、開口部６２のうち原稿挿入口４２と用紙挿入口５２との間に開口している。
【００４２】
用紙搬送路５１中であって用紙挿入口５２の近傍には、分離パッド５４と給紙ローラ５５とが互いに対向するように配置されている。
【００４３】
図３に示すように、用紙は、積層された状態で用紙挿入口５２に挿入され、先端が分離パッド５４に突き当たった状態で収容される。そして、給紙ローラ５５が回転すると、給紙ローラ５５と分離パッド５４とによって、給紙ローラ５５に最も近い１枚の用紙のみが用紙排出口５３に向けて搬送される。
【００４４】
用紙の搬送方向において給紙ローラ５５の下流側には、プラテンローラ５６とサーマルヘッド５７とが、互いに対向するように配置されている。また、プラテンローラ５６とサーマルヘッド５７との間には、インクフィルム５８が配置されている。インクフィルム５８は、用紙の搬送速度に合わせて用紙の搬送方向と同方向に送られる。
【００４５】
用紙は、プラテンローラ５６とインクフィルム５８との間に送り込まれる。そして、用紙は、サーマルヘッド５７によって画像情報に基づいてインクフィルム５８のインクを熱転写され、これによって画像を形成される。プラテンローラ５６及びサーマルヘッド５７は、画像形成部５０に含まれる。
【００４６】
用紙の搬送方向においてプラテンローラ５６の下流側には、用紙排出ローラ５９が配置されている。用紙排出ローラ５９は、用紙排出口５３から用紙を上方に排出する。
【００４７】
蓋部材３０は、画像読取動作や画像形成動作などを行うファクシミリ装置１０の使用時には、図３に示すように開放位置に配置され、画像読取動作や画像形成動作などを行わない不使用時には、図２に示すように閉鎖位置に配置される。蓋部材３０の開閉動作についての詳細は、後述する。
【００４８】
蓋部材３０の前部Ｆ側に、仕切り板３３が配置されている。仕切り板３３は、用紙搬送路５１に挿入されるべき画像形成前の用紙と、用紙搬送路５１から排出された画像形成後の用紙とを仕切って分別する。
【００４９】
蓋部材３０は、開放位置において、原稿搬送路４１の原稿挿入口４２、用紙搬送路５１の用紙挿入口５２、及び、用紙搬送路５１の用紙排出口５３を開放するとともに、原稿搬送路４１に挿入されるべき原稿、用紙搬送路５１に挿入されるべき用紙、及び、用紙搬送路５１から排出された用紙を支持する。
【００５０】
具体的には、用紙搬送路５１に挿入されるべき画像形成前の用紙は、蓋部材３０に直接的に支持される。用紙搬送路５１から排出された画像形成後の用紙は、下部については仕切り板３３で支持されるとともに、上部については画像形成前の用紙を挟んで間接的に蓋部材３０によって支持される。また、原稿搬送路４１に挿入されるべき原稿は、画像形成前の用紙及び画像形成後の用紙を挟んで間接的に蓋部材３０によって支持される。
【００５１】
上述のように、蓋部材３０は、開放位置に配置されたとき、原稿を支持する原稿トレイ、画像形成前の用紙を支持する給紙トレイ、及び、画像形成後の用紙を支持する排紙トレイの役割をなす。
【００５２】
また、蓋部材３０は、閉鎖位置において、外装部材６１の開口部６２を塞ぎ、原稿搬送路４１の原稿挿入口４２、用紙搬送路５１の用紙挿入口５２、及び、用紙搬送路５１の用紙排出口５３を覆う。そして、蓋部材３０は、閉鎖位置に配置されたとき、外装部材６１に対して突出しないように配置され、外装部材６１の一部を構成している。
【００５３】
図４は、蓋部材３０に備えられた延長トレイ３２の概略の構成を示す正面図である。蓋部材３０は、延長トレイ３２を有している。延長トレイ３２は、この発明の伸縮部材に相当する。延長トレイ３２は、蓋部材３０が開放位置に配置されたとき、画像形成前の用紙の搬送方向において上流側に伸長自在に形成されている。延長トレイ３２は、例えば３個の部材から構成され、３段階に伸長自在に形成されている。
【００５４】
図５に示すように、ファクシミリ装置１０では、上述のように、原稿搬送路４１の原稿挿入口４２、用紙搬送路５１の用紙挿入口５２及び用紙排出口５３は、装置本体２０の上部に並設され、用紙排出口５３が原稿挿入口４２と用紙挿入口５２との間に配置されている。
【００５５】
そして、原稿Ｇ及び画像形成前の用紙Ｐ１は下向きに搬送され、画像形成後の用紙Ｐ２は上向きに搬送される。このため、原稿Ｇ、画像形成前の用紙Ｐ１及び画像形成後の用紙Ｐ２のうち、隣接する原稿及び用紙は、互いに逆方向に搬送されることになる。
【００５６】
ここで、もし、隣接する原稿又は用紙が互いに同方向（例えば下向き）に搬送される場合、本来は搬送されるべきでない原稿又は用紙が、隣接する原稿又は用紙に引き連れられて搬送路に挿入される事態が発生し得る。しかし、ファクシミリ装置１０においては、上述のように隣接する原稿及び用紙は、互いに逆方向に搬送されるので、原稿及び用紙の誤送が防止される。
【００５７】
また、従来のファクシミリ装置のように隣接する原稿及び用紙が互いに上向きに搬送される場合、先に搬送された原稿又は用紙が、後から搬送されてきた原稿又は用紙との摩擦力によって押されて、蓋部材３０から上方にはみ出やすくなる。しかし、ファクシミリ装置１０においては、上述のように隣接する原稿及び用紙は互いに逆方向に搬送されるので、原稿及び用紙のスタック性能が向上する。
【００５８】
図６は、ファクシミリ装置１０の概略の構成を示すブロック図である。
【００５９】
ファクシミリ装置１０は、制御部７１、挿入口原稿検出センサ７２、排出口原稿検出センサ７３、挿入口用紙検出センサ７４、排出口用紙検出センサ７５、入力部７６、ドライバ７７，７９、第１駆動部７８、及び、第２駆動部８０を、さらに備えている。
【００６０】
挿入口原稿検出センサ７２は、原稿挿入口４２に配置されている。挿入口原稿検出センサ７２は、原稿挿入口４２に原稿が挿入されているか否かを検出し、検出結果を制御部７１に出力する。
【００６１】
排出口原稿検出センサ７３は、原稿排出口４３に配置されている。排出口原稿検出センサ７３は、原稿排出口４３からの原稿の排出が終了したことを検出し、検出結果を制御部７１に出力する。
【００６２】
挿入口用紙検出センサ７４は、用紙挿入口５２に配置されている。挿入口用紙検出センサ７４は、用紙挿入口５２に用紙が挿入されているか否かを検出し、検出結果を制御部７１に出力する。
【００６３】
排出口用紙検出センサ７５は、用紙排出口５３に配置されている。排出口用紙検出センサ７５は、用紙排出口５３からの用紙の排出が終了したことを検出し、検出結果を制御部７１に出力する。
【００６４】
入力部７６は、特定操作ボタン７６Ａ及び禁止設定入力ボタン７６Ｂを含む。
【００６５】
特定操作ボタン７６Ａは、原稿の画像を送信するための操作ボタンの一つである。特定操作ボタン７６Ａは、例えば、テンキー、又は、送信先参照ボタンである。送信先参照ボタンが操作されることで、予め制御部７１に記憶されている送信先のファックス番号が参照される。
【００６６】
また、コピー機能、ファックス送信機能などのうち、今から行いたい機能を選択するための操作ボタンが設けられている場合は、特定操作ボタン７６Ａは、ファックス送信機能を選択するボタンであってもよい。この場合は、まず、特定操作ボタン７６Ａが押下され、それによって蓋部材３０が閉鎖位置から開放位置へ自動的に変位し、その後、例えば、ユーザによる原稿のセット、送信先のファックス番号の入力、ファックス送信スタートボタンの押下が、この順に行われる。
【００６７】
なお、特定操作ボタン７６Ａは、原稿の画像の送信先を特定するための入力ボタンであることが望ましい。この場合、例えば、送信先のファックス番号が入力されると、蓋部材３０が閉鎖位置から開放位置へ自動的に変位し、ユーザによって原稿がセットされた後、ファックス送信スタートボタンが押下されると、送信動作が開始される。
【００６８】
禁止設定入力ボタン７６Ｂは、例えば、受話器を置いたままの状態で電話をかけられるオンフックボタン、又は、受話器を置くことで押下されるフックボタンである。
【００６９】
ドライバ７７は、第１駆動部７８を駆動させ、蓋部材３０を開放位置と閉鎖位置との間で変位させる。第１駆動部７８と蓋部材３０とは、図示されていないギヤ等で連結されており、第１駆動部７８が所定方向へ駆動することで蓋部材３０は開放位置へ変位し、第１駆動部７８が逆方向へ駆動することで蓋部材３０は閉鎖位置へ変位する。
【００７０】
ドライバ７９は、第２駆動部８０を駆動させ、延長トレイ３２を伸縮させる。第２駆動部８０と延長トレイ３２とは、図示されていないギヤ等で連結されており、第２駆動部８０が所定方向へ駆動することで延長トレイ３２は伸長され、第２駆動部８０が逆方向へ駆動することで延長トレイ３２は短縮される。
【００７１】
制御部７１は、特定操作ボタン７６Ａが押されたとき、第１駆動部７８を駆動させることで、蓋部材３０を閉鎖位置から開放位置へ変位させるとともに、第２駆動部８０を駆動させることで、延長トレイ３２を伸長させる。
【００７２】
また、制御部７１は、原稿排出口４３からの原稿の排出が終了したことを排出口原稿検出センサ７３によって検出することで、原稿の画像を通信回線を介して送信する送信動作が終了したと判定し、蓋部材３０を開放位置から閉鎖位置へ変位させる。さらに、制御部７１は、用紙排出口５３からの用紙の排出が終了したことを排出口用紙検出センサ７５によって検出することで、通信回線を介して送信されてきた画像情報を受信して用紙に画像を印刷する受信動作が終了したと判定し、蓋部材３０を開放位置から閉鎖位置へ変位させる。
【００７３】
排出口原稿検出センサ７３及び排出口用紙検出センサ７５は、この発明の送受信終了検出部に相当する。
【００７４】
但し、制御部７１は、挿入口原稿検出センサ７２によって原稿挿入口４２に原稿が挿入されていることを検出したとき、及び、挿入口用紙検出センサ７４によって用紙挿入口５２に用紙が挿入されていることを検出したときは、送信動作又は受信動作が終了したと判定した場合であっても、蓋部材３０を閉鎖位置から開放位置へ変位させない。
【００７５】
禁止設定入力ボタン７６Ｂは、第１駆動部７８の駆動力による蓋部材３０の開閉を禁止する設定の入力を受け付ける。禁止設定入力ボタン７６Ｂが押され、禁止設定がオンされているときは、制御部７１は、特定操作ボタン７６Ａが押された場合でも蓋部材３０を閉鎖位置から開放位置へ変位させず、送信動作が終了したと判定した場合でも蓋部材３０を開放位置から閉鎖位置へ変位させず、受信動作が終了したと判定した場合でも蓋部材３０を開放位置から閉鎖位置へ変位させない。
【００７６】
具体的には例えば、制御部７１は、オンフックボタンが押されたとき、又は、受話器が上げられてフックボタンがオフされたときは、テンキーが押された場合であっても、蓋部材３０を閉鎖位置から開放位置へ変位させない。これによって、ファックス送信ではなく通話する場合は、蓋部材３０が閉鎖位置から開放位置へ変位されない。したがって、通話する場合は、蓋部材３０が無駄に閉鎖位置から開放位置へ変位することがなく、埃の侵入が防がれる。
【００７７】
図７は、制御部７１の処理手順の一部を示すフローチャートである。
【００７８】
制御部７１は、特定操作ボタン７６Ａが押され（Ｓ１）、禁止設定がオフされているとき（Ｓ２）、第１駆動部７８を所定方向に駆動させることで蓋部材３０を開放位置へ変位させた後（Ｓ４）、第２駆動部８０を所定方向に駆動させることで延長トレイ３２を伸長させる（Ｓ５）。
【００７９】
制御部７１は、特定操作ボタン７６Ａが押された場合でも（Ｓ１）、禁止設定がオンされている場合（Ｓ２）は、第１駆動部７８と蓋部材３０との間のギヤの連結状態、及び、第２駆動部８０と延長トレイ３２との間のギヤの連結状態を解除することで、蓋部材３０及び延長トレイ３２をニュートラルにする（Ｓ３）。これによって、蓋部材３０及び延長トレイ３２が、ユーザの手動によって容易に開閉できるようになる。また、過って特定操作ボタン７６Ａが押された場合でも、蓋部材３０が開放位置へ変位しないようにすることができる。
【００８０】
制御部７１は、送信動作又は受信動作が終了し（Ｓ６）、禁止の設定がオフされ（Ｓ７）、原稿挿入口４２に原稿がなく（Ｓ９）、さらに、用紙挿入口５２に用紙がない場合（Ｓ１０）、延長トレイ３２を短縮させ（Ｓ１１）、蓋部材３０を閉鎖位置へ変位させる（Ｓ１２）。
【００８１】
制御部７１は、送信動作又は受信動作が終了した場合であっても（Ｓ６）、禁止の設定がオンされているとき（Ｓ７）、原稿挿入口４２に原稿があるとき（Ｓ９）、及び、用紙挿入口５２に用紙があるときは（Ｓ１０）、第２駆動部８０による延長トレイ３２の短縮及び第１駆動部７８による蓋部材３０の閉鎖位置への変位を行わず、蓋部材３０及び延長トレイ３２をニュートラルにする（Ｓ８）。
【００８２】
これによって、蓋部材３０及び延長トレイ３２が、ユーザの手動によって容易に開閉できるようになる。また、原稿挿入口４２に原稿があるとき、及び、用紙挿入口５２に用紙があるときは、第２駆動部８０による延長トレイ３２の短縮及び第１駆動部７８による蓋部材３０の閉鎖位置への変位を行わないことで、原稿及び用紙の損傷、並びに、蓋部材３０及び延長トレイ３２の損傷が防止される。
【００８３】
ファクシミリ装置１０によれば、送信動作及び受信動作の終了後に、蓋部材３０が閉鎖位置へ自動的に変位するので、操作性よく、原稿挿入口４２、用紙挿入口５２及び用紙排出口５３への埃の侵入を防ぐことができる。
【００８４】
また、蓋部材３０は、閉鎖位置に配置されたとき外装部材６１の一部を構成するので、ファクシミリ装置１０の占有スペースが小さくなる。
【００８５】
原稿挿入口４２に原稿が挿入されているとき、及び、用紙挿入口５２に用紙が挿入されているときは、蓋部材３０を閉鎖位置へ変位させないことで、原稿及び用紙が損傷することを防止することができる。
【００８６】
また、原稿の画像を送信するための送信操作が行われたとき、蓋部材３０が閉鎖位置から開放位置へ自動的に変位するので、蓋部材３０を変位させるためだけの操作を必要とせず、操作性よく、原稿挿入口４２に原稿を挿入して、原稿の画像を送信することができる。
【００８７】
さらに、延長トレイ３２を伸長させることで、画像読取前の原稿、画像形成前の用紙及び画像形成後の用紙を、延長トレイ３２によってより大きい面積で支持できるので、原稿及び用紙をより倒れにくくすることができる。したがって、原稿及び用紙の搬送性を向上させることができる。また、伸長部材３２を短縮させることで、蓋部材３０が閉鎖位置へ変位するときの妨げとならないようにすることができる。
【００８８】
延長トレイ３２を蓋部材３０の開閉動作とともに自動的に伸縮させることで、より操作性がよくなる。
【００８９】
また、蓋部材３０の開閉を禁止するように予め禁止設定をオンしておくことで、誤操作による蓋部材３０の開閉を防ぐことができる。
【００９０】
さらに、ファクシミリ装置１０によれば、ファクシミリ装置１０の使用時には、蓋部材３０を開放位置に配置することで、原稿、画像形成前の用紙及び画像形成後の用紙を蓋部材３０で支持することができる。
【００９１】
また、ファクシミリ装置１０の不使用時には、蓋部材３０を閉鎖位置に配置することで、原稿搬送路４１の原稿挿入口４２、用紙搬送路５１の用紙挿入口５２、及び、用紙搬送路５１の用紙排出口５３のすべてを蓋部材３０で覆うことができる。このため、原稿搬送ローラ４４、給紙ローラ５５及び用紙排出ローラ５９に、塵や埃が付着することを防止することができる。したがって、原稿及び画像形成前の用紙のみでなく、画像形成後の用紙についても、搬送ミスを防止することができる。
【００９２】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００９３】
【図１】この発明の画像記録装置の実施形態に係るファクシミリ装置の外観構成を示す斜視図である。
【図２】蓋部材が閉鎖位置にある状態の前記ファクシミリ装置の構成を示す側面視の断面図である。
【図３】蓋部材が開放位置にある状態の前記ファクシミリ装置の構成を示す側面視の断面図である。
【図４】蓋部材に備えられた伸長部材の概略の構成を示す正面図である。
【図５】原稿、画像形成前の用紙及び画像形成後の用紙の搬送方向を示す説明図である。
【図６】ファクシミリ装置の概略の構成を示すブロック図である。
【図７】制御部の処理手順の一部を示すフローチャートである。
【符号の説明】
【００９４】
１０  ファクシミリ装置
２０  装置本体
３０  蓋部材
４０  画像読取部
４１  原稿搬送路
４２  原稿挿入口
４３  原稿排出口
５０  画像形成部
５１  用紙搬送路（シート体搬送路）
５２  用紙挿入口（シート体挿入口）
５３  用紙排出口（シート体排出口）
６１  外装部材
７１  制御部
７２  挿入口原稿検出センサ（原稿検出部）
７３  排出口原稿検出センサ（送受信終了検出部）
７４  挿入口用紙検出センサ（シート体検出部）
７５  排出口用紙検出センサ（送受信終了検出部）
７６  入力部
７６Ａ  特定操作ボタン
７６Ｂ  禁止設定入力ボタン（禁止設定入力部）
７８  第１駆動部
８０  第２駆動部
【図１】
2007282034.tif 000003
【図２】
2007282034.tif 000004
【図３】
2007282034.tif 000005
【図４】
2007282034.tif 000006
【図５】
2007282034.tif 000007
【図６】
2007282034.tif 000008
【図７】
2007282034.tif 000009